(57)【特許請求の範囲】
【請求項１】
ガス検知素子と、該ガス検知素子加熱用のヒータと、上記ヒータを所定周期で温度制御する制御信号電圧を出力する制御機能及びガス検知素子の検知出力を取り込み該検知出力に基づいて被検知ガスの有無を判定する検知機能を有する制御手段（ＣＰＵ）とを備えた警報器の試験方法において、
前記制御手段は、試験結果を格納する記憶手段と、この記憶手段に格納した記憶内容を出力させる試験スイッチを備え、
ガス検知素子の出力サンプリングタイミングごとに、出力測定とは別のタイミングで強制的に警報状態となる試験電圧をガス検知素子に印加して、ガス検知機能が正常であるかどうかを判定し、その結果を上記記憶手段に上書き保存し、
上記試験スイッチの操作時に、上記記憶手段に格納された最新の試験結果を出力する警報器の試験方法。
【請求項２】
ガス検知素子と、該ガス検知素子加熱用のヒータと、火災検知手段と、上記ヒータを所定周期で温度制御する制御信号電圧を出力する制御機能、ガス検知素子並びに火災検知手段の検知出力を取り込み、該検知出力に基づいて被検知ガスの有無を判定する機能、及び火災を判定する機能を有する制御手段（ＣＰＵ）とを備えた警報器の試験方法において、
前記制御手段は、試験結果を格納する記憶手段と、この記憶手段に格納した記憶内容を出力させる試験スイッチを備え、
ガス検知素子の出力サンプリングタイミングごとに、出力測定とは別のタイミングで強制的に警報状態となる試験電圧をガス検知素子に印加して、ガス検知機能が正常であるかどうかを判定し、その結果を上記記憶手段に上書き保存し、
上記火災検知手段を、強制的に警報状態にして、火災検知機能が正常であるかどうかを判定し、その結果を上記記憶手段に上書き保存し、
上記試験スイッチの操作時に、上記記憶手段に格納された最新の試験結果を出力する警報器の試験方法。
【請求項３】
上記警報器は表示警報手段を備え、上記試験スイッチが操作されたとき上記記憶手段に格納している試験結果を出力する請求項１又は請求項２に記載の警報器の試験方法。
【請求項４】
ガス検知素子と、該ガス検知素子加熱用のヒータと、上記ヒータを所定周期で温度制御する制御信号電圧を出力する制御機能及びガス検知素子の検知出力を取り込み該検知出力に基づいて被検知ガスの有無を判定する検知機能を有する制御手段（ＣＰＵ）とを備えた警報器において、
前記制御手段は、試験結果を格納する記憶手段と、この記憶手段に格納した記憶内容を出力させる試験スイッチとを備え、
ガス検知素子の出力サンプリングタイミングごとに、出力測定とは別のタイミングで強制的に警報状態となる試験電圧をガス検知素子に印加して、ガス検知機能が正常であるかどうかを判定し、その結果を上記記憶手段に上書き保存し、
上記試験スイッチの操作時に、上記記憶手段に格納された最新の試験結果を出力する警報器。
【請求項５】
ガス検知素子と、該ガス検知素子加熱用のヒータと、火災検知手段と、上記ヒータを所定周期で温度制御する制御信号電圧を出力する制御機能、ガス検知素子並びに火災検知手段の検知出力を取り込み、該検知出力に基づいて被検知ガスの有無を判定する機能、及び火災を判定する機能を有する制御手段（ＣＰＵ）とを備えた警報器において、
前記制御手段は、試験結果を格納する記憶手段と、この記憶手段に格納した記憶内容を出力させる試験スイッチを備え、
ガス検知素子の出力サンプリングタイミングごとに、出力測定とは別のタイミングで強制的に警報状態となる試験電圧をガス検知素子に印加して、ガス検知機能が正常であるかどうかを判定し、その結果を上記記憶手段に上書き保存し、
上記火災検知手段を強制的に警報状態として、火災検知機能が正常であるかどうかを判定し、その結果を上記記憶手段に上書き保存し、
上記試験スイッチの操作時に、上記記憶手段に格納された最新の試験結果を出力する警報器。
【請求項６】
上記試験スイッチが操作されたとき上記記憶手段に格納している試験結果を出力する表示警報手段を備えた請求項４又は請求項５に記載の警報器。
【発明の詳細な説明】
【０００１】
【発明の属する技術分野】
本発明はガス検知素子（ガスセンサ）でガス漏れを検知して、ガス漏れ警報を発する警報器の試験方法及び警報器に関するものである。
【０００２】
【従来の技術】
従来、ガスセンサ（例えばＳｎＯ2半導体センサ）でＣＯ、ＣＨ4等の可燃性ガスを検知し、ガス漏れを通告するガス漏れ警報器や、サーミスタを熱検知素子（熱センサ）として温度を検知したり、発光素子から発光された赤外光が煙粒子によって散乱され、その散乱光を捕えて煙を検出することにより、火災の発生を通告する火災警報器が使用されている。
【０００３】
また、本件出願人は、このような火災報知器とガス漏れ警報器とを一つの筐体に収容し、1台で火災とガス漏れとを検知する火災ガス漏れ警報器を提案している。
【０００４】
このような火災ガス漏れ警報器にあっては、検知器の設置時にはもちろん、定期的に火災警報器能及びガス漏れ警報器能が正常に作動するかを試験する必要がある。
【０００５】
ここで、火災警報器能の試験は、熱センサをヘアドライヤ等の熱源で加熱し、所定温度以上になったときに火災警報が正常に作動するかを確認するものである。
また、煙センサでは専用の加煙試験機により所定の時間内に火災警報が正常に作動するかを確認するものである。
【０００６】
また、ガス漏れ警報器能は、ガス容器から試験用ガスをガスセンサ向けて送り、所定ガス濃度以上でガス漏れ警報が正常に作動するかを確認するものである。
【０００７】
【発明が解決しようとする課題】
しかしながら、このような火災ガス漏れ警報器は、通常天井付近に設けられているため、熱センサを加熱したり、煙センサに煙を注入したり、ガスセンサにガスを注入するときには、試験者は踏み台等に乗り、高い位置で上向きになって作業を行わなければならず、手間がかかるものであった。
【０００８】
また、ガスセンサは、ＣＯ及びＣＨ4（メタン）ガスに対する感度を適切に保つため、及びセンサ表面のクリーニングを行うため、内蔵されたヒータで数十℃〜数百℃まで加熱する必要がある。この加熱は装置の低消費電力化のため常時行われるのではなく、適当な間隔、例えば２０〜２０秒間隔で行うものとし、この間隔でヒータに加熱用の電圧が印加されるようにし、適切なタイミングで各ガスの検出を行うようにしている。
【０００９】
このため、ガス漏れ警報器能の試験はこのガス検出タイミングを待って行わなければならず、試験に時間がかかるという問題がある。
【００１０】
本発明は、かかる実情に鑑み、なされたものであって、試験を容易且つ迅速に行うことができる警報器の試験方法及び警報器を提供しようとするものである。
【００１１】
【課題を解決するための手段】
本発明は警報器の試験方法及び警報器に係るものであり、各センサの試験を所定間隔で行うものとし、この試験時には各センサに警報状態となるように試験電圧を印加すると共に、この試験結果を制御手段に設けた記憶手段に上書保存していき、試験スイッチの操作により記憶手段に格納されている最新の試験結果を出力するものとしていることを特徴とするものである。
【００１２】
即ち請求項１に記載の発明は、ガス検知素子と、該ガス検知素子加熱用のヒータと、上記ヒータを所定周期で温度制御する制御信号電圧を出力する制御機能及びガス検知素子の検知出力を取り込み該検知出力に基づいて被検知ガスの有無を判定する検知機能を有する制御手段（ＣＰＵ）とを備えた警報器の試験方法において、前記制御手段は、試験結果を格納する記憶手段と、この記憶手段に格納した記憶内容を出力させる試験スイッチを備え、ガス検知素子の出力サンプリングタイミングごとに、出力測定とは別のタイミングで強制的に警報状態となる試験電圧をガス検知素子に印加して、ガス検知機能が正常であるかどうかを判定し、その結果を上記記憶手段に上書き保存し、上記試験スイッチの操作時に、上記記憶手段に格納された最新の試験結果を出力する警報器の試験方法である。
【００１３】
本発明によれば、ガス検知素子は、常時試験され、その結果は記憶手段に上書き格納されていく。このため常に最新のガス検知素子の試験結果が記憶手段に格納されている。そして、試験スイッチを操作することにより、記憶手段に格納された最新（最終）の試験結果が出力されるから、試験スイッチ操作後直ちに試験結果が出力される。また、ガス検知素子の複数のガスに対する試験結果が一度に出力され、ガス漏れ警報装置のガス検知素子の状態を全体として一度に把握できる。
【００１４】
また、請求項２に記載の発明は、ガス検知素子と、該ガス検知素子加熱用のヒータと、火災検知手段と、上記ヒータを所定周期で温度制御する制御信号電圧を出力する制御機能、ガス検知素子並びに火災検知手段の検知出力を取り込み、該検知出力に基づいて被検知ガスの有無を判定する機能、及び上記火災を判定する機能とを有する制御手段（ＣＰＵ）とを備えた警報器の試験方法において、前記制御手段は、試験結果を格納する記憶手段と、この記憶手段に格納した記憶内容を出力させる試験スイッチを備え、ガス検知素子の出力サンプリングタイミングごとに、出力測定とは別のタイミングで強制的に警報状態となる試験電圧をガス検知素子に印加して、ガス検知機能が正常であるかどうかを判定し、その結果を上記記憶手段に上書き保存し、上記火災検知手段を強制的に警報状態にして、火災検知機能が正常であるかどうかを判定し、その結果を上記記憶手段に上書き保存し、上記試験スイッチの操作時に、上記記憶手段に格納された最新の試験結果を出力する警報器の試験方法である。
【００１５】
本発明によれば、ガス検知素子のほか火災検知手段も、常時試験され、その結果は記憶手段に上書き格納されていく。そして、試験スイッチを操作することにより、記憶手段に格納された最新（最終）の試験結果が出力されるから、試験スイッチ操作後直ちに試験結果が出力される。また、ガス検知素子の複数のガスに対する試験結果、及び火災検知手段の試験結果が一度に出力され、ガス漏れ警報装置のガス検知素子及び火災検知手段の状態を全体として一度に把握できる。
【００１６】
なお上記請求項１及び請求項２の記憶手段への試験結果の上書きは、前回試験の結果を全て書き換えるものであってもよいし、ＦＩＦＯ方式で、一定期間にわたる試験結果保持しておくものとして、試験結果を古いものから削除して、最新の試験結果を追加するようにしてもよい。
【００１７】
さらに、請求項３に記載の発明は、請求項１又は請求項２に記載の警報器は表示警報手段を備え、試験スイッチが操作されたとき記憶手段に格納している試験結果を出力するものである。
【００１８】
表示警報手段の出力は、ランプの点灯点滅、ディスプレイ画面による文字アイコンの表示、音声によるメッセージ等を使用することができる。
【００２３】
請求項４に記載の発明は、ガス検知素子と、該ガス検知素子加熱用のヒータと、上記ヒータを所定周期で温度制御する制御信号電圧を出力する制御機能及びガス検知素子の検知出力を取り込み該検知出力に基づいて被検知ガスの有無を判定する検知機能を有する制御手段（ＣＰＵ）とを備えた警報器において、前記制御手段は、試験結果を格納する記憶手段と、この記憶手段に格納した記憶内容を出力させる試験スイッチとを備え、ガス検知素子の出力サンプリングタイミングごとに、出力測定とは別のタイミングで強制的に警報状態となる試験電圧をガス検知素子に印加して、ガス検知機能が正常であるかどうかを判定し、その結果を上記記憶手段に上書き保存し、上記試験スイッチの操作時に、上記記憶手段に格納された最新の試験結果を出力する警報器である。
【００２４】
本発明によれば、上記請求項１に記載の発明と同様に最新のガス検知素子の試験結果が記憶手段に格納されていき、試験スイッチを操作することにより最新（最終）の試験結果が出力されるから、試験スイッチ操作後直ちに試験結果が出力される他、ガス漏れ警報装置のガス検知素子の状態を全体として一度に把握できる。
【００２５】
請求項５に記載の発明は、ガス検知素子と、該ガス検知素子加熱用のヒータと、火災検知手段と、上記ヒータを所定周期で温度制御する制御信号電圧を出力する制御機能、ガス検知素子並びに火災検知手段の検知出力を取り込み、該検知出力に基づいて被検知ガスの有無を判定する機能、及び火災を判定する機能を有する制御手段（ＣＰＵ）とを備えた警報器において、前記制御手段は、試験結果を格納する記憶手段と、この記憶手段に格納した記憶内容を出力させる試験スイッチを備え、ガス検知素子の出力サンプリングタイミングごとに、出力測定とは別のタイミングで強制的に警報状態となる試験電圧をガス検知素子に印加して、ガス検知機能が正常であるかどうかを判定し、その結果を上記記憶手段に上書き保存し、上記火災検知手段を強制的に警報状態として、火災検知機能が正常であるかどうかを判定し、その結果を上記記憶手段に上書き保存し、上記試験スイッチの操作時に、上記記憶手段に格納された最新の試験結果を出力する警報器である。
【００２６】
本発明によれば、請求項２に記載の発明と同様に、ガス検知素子のほか火災検知手段も、常時試験され、試験スイッチを操作することにより、最新（最終）の試験結果が試験スイッチ操作後直ちに試験結果が出力される。また、ガス検知素子の複数のガスに対する試験結果、及び火災検知手段の試験結果が一度に出力され、ガス漏れ警報装置のガス検知素子及び火災検知手段の状態を全体として一度に把握できる。
【００２７】
請求項６に記載の発明は、請求項４又は請求項５に記載の警報器は、試験スイッチが操作されたとき記憶手段に格納している試験結果を出力する表示警報手段を備えたガス漏れ警報器である。
【００２８】
【発明の実施の形態】
以下、実施の形態例に係る火災ガス漏れ警報器の試験方法を図面に基づいて説明する。図１乃至図４は発明を実施する形態の一例を示すものである。本例にかかる火災ガス漏れ警報器３０は、例えば図３に示すように、ガス検知素子である半導体ガスセンサ１１と熱検知素子であるサーミスタ１４が配置されたセンサ部１０と、このセンサ部１０を制御し、ガス及び熱を検出して警報を発する他、センサ部の各センサの試験実行する制御部（ＣＰＵ）２０とから構成されている。
【００２９】
本例では、センサ部１０に配置された1台のガスセンサ１１で２種類のガス、即ちＣＯとＣＨ4とを検知する。
【００３０】
また、本例の火災ガス漏れ警報器３０には、上述のようにサーミスタ１４が熱センサとして設けられ、ガスセンサ１１と熱センサ１４の両方を１台の制御装置で制御し、１つの装置でガス漏れ検出器と火災検知器の役割をなす。
【００３１】
本例に係る火災ガス漏れ警報器３０のガスセンサ１１はＳｎＯ2半導体センサで形成されたセンサ検知部１２と、このセンサ検知部１２を過熱するヒータ部１３とから構成されている。
【００３２】
そして、ＣＰＵ２０のヒータコントロール信号Ａの温度制御により、符号Ｑ１、Ｑ２で示したヒータコントロール用のトランジスタを含む電圧制御回路４０のスイッチング制御によりヒータ部１３に印加する電圧を変化させ、低温時（例えばlow  0.2V）にＣＯ、高温時(例えばhigh  0.9V)にＣＨ4を検出し、ＣＰＵ２０のガスＡ／Ｄ入力端子に検出信号を送出するようになっている。ＣＰＵ２０側では、上記ヒータのコントロールのタイミングに合わせてこの検出信号をサンプリングし、各ガスの濃度を検出し、必要に応じて警報を出力するものとしている。
【００３３】
また、センサ部１０中の、Ｑ３はガスセンサ試験信号制御用のトランジスタを示しており、ＣＰＵ２０は、上記ガス濃度サンプリングのタイミングとずらせてガスＴＥＳＴ端子からのテスト信号を発生し、このトランジスタＱ３をオン状態としてセンサ検知部１２に抵抗Ｒ１が並列に接続されるものとし、ＣＰＵ２０のガスＡ／Ｄ入力への入力電圧が下がった、即ちガスを検出したかのようにし、この電圧に基づいてガス検出が正常に行われるかを判定する。
【００３４】
また本例では、サーミスタ１４は環境気温に応じた抵抗値を有し、環境温度に応じた電圧を火災Ａ／Ｄ端子に出力しており、ＣＰＵ２０では、この出力を定期的にサンプリングし、環境温度の上昇率などで火災発生を検知する。
【００３５】
またこのサーミスタ１４には試験用の抵抗Ｒ２がトランジスタＱ４を介して並列に接続されており、火災ＴＥＳＴ端子からの試験信号により、トランジスタＱ４をオン状態とし、このトランジスタＱ４をオン状態としてサーミスタ１４と抵抗Ｒ２が並列に接続されるものとし、ＣＰＵ２０の火災Ａ／Ｄ入力への入力電圧が下がった、即ち環境温度が上昇したかのようにし、この電圧に基づいて火災検出が正常に行われるかを判定する。このサーミスタの試験は、上記ガスセンサの試験とは独立して行うことができる。
【００３６】
一方本例のＣＰＵ２０は、図３に示すように、上記ガスセンサからの入力信号を受け、公知のアルゴリズムでガス検出処理を行うガス信号処理部２１と、上記サーミスタ１４からの入力信号を受け、公知のアルゴリズムで火災信号検出処理を行う火災信号処理部２２と、上記ヒータの温度制御を行うヒータコントロール部２３と、ガスセンサ及びサーミスタの試験結果を上書き保存していき常に最新の、即ち最終の試験結果を格納している記憶手段であるＲＡＭ２４と、ガス濃度検出、火災検出及び書くセンサの試験タイミングを制御するタイマ２５と、上記各ガスセンサ及びサーミスタからの信号に基づいて試験時に各センサが正常であるか否かの演算の処理を行ない、上記ＲＡＭに上書き保存する演算部２６とを備える。
【００３７】
これらの各機能は、マイクロコンピュータにおいて所定のプログラムを処理することにより実現される。
【００３８】
また、本例においては、ＣＰＵ２０には、試験スイッチ２７と表示警報手段２８とが設けられており、この試験スイッチ２７を操作することによりトリガ信号を入力し、上記ＲＡＭ２４に格納された最終試験データを上記表示警報手段２８に出力させるものとしている。また表示警報手段２８は、ガス濃度の異常や、火災を検知したときにはその旨を警告表示する。
【００３９】
上記試験スイッチ２７は、機械式の押しボタンスイッチ、電磁スイッチ、赤外線リモコンスイッチその他のスイッチを使用することができる。
【００４０】
また、表示警報手段２８としては、ランプの点灯点滅表示、ディスプレイ画面による文字アイコンの表示、音声によるメッセージのほか、試験を行うときにであれば、ノートパソコン等の携帯端末装置を取り付けて使用することもできる。携帯端末を使用するときには、上記試験スイッチ２７として携帯端末を使用してトリガ信号を入力することもできる。
【００４１】
他の実施例として、図４に示すように、ガス検知素子である半導体ガスセンサ１１と煙検出手段（散乱光式）を一体化した火災ガス漏れ警報器がある。
【００４２】
本例では、ガスセンサ１１及びその電源制御回路４０からなるガス検出部は、図３に示した例と同じであるので、煙検出部５０について説明を行う。煙検出部５０は、煙濃度に応じた電圧を火災Ａ／Ｄ入力端子に出力しており、ＣＰＵ２０ではこの出力を定期的（図２（７）参照）にサンプリングし、所定の閾値を越えた場合火災と判断する。
【００４３】
煙検出用発光素子（ＬＥＤ）１５から間欠的に放射された赤外光は、煙検出部に流入した煙粒子によって散乱する。受光素子（フォトダイオード）１７は、その散乱光を受光し、受光出力が所定の閾値以上であればＣＰＵ２０が火災と判断する。
【００４４】
受光素子１７と対向する位置には、テスト用ＬＥＤ１６が配置されている。試験はＣＰＵ２０の火災テスト端子からの試験信号によって開始され、警報状態を示す散乱光量に相当する発光量でテストＬＥＤ１６が点灯する（図２（８）参照）。
受光素子１７は、テスト用ＬＥＤ１６からの赤外光を受光し、ＣＰＵ２０において、当該受光出力が正常であるか否かの演算処理を行い、これによりセンサが正常であるかが判断される。その結果はＲＡＭに上書き保存される。試験スイッチ２７をオンすることで、ＲＡＭに保存されている最新の試験結果が出力される。
【００４５】
次に、本例の作動について説明する。図１及び図２において、先ず本例ではＣＨ4の検出を行う。まずヒータコントロール部２３の制御によりヒータコントロール信号Ａが立ち上がり、ガスセンサヒータ駆動電圧がhigh(0.9V)となる（図２（１）、（２）ｔ1）。これによりヒータ部１３は発熱し、ガスセンサ１１はＣＨ4検出に適した温度（例えば数百℃）となる。本例ではこのヒータのhigh状態は5秒間持続される（図１、Ｓ１）。
【００４６】
このガスセンサの加熱時間の終了時近く、即ち加熱状態が安定してきたとき、ガス検出Ａ／Ｄ信号の読み込みが行われ（図２（４）ｔ2）、ＣＨ4の検出がなされる（Ｓ２）。この検出は、ガス信号処理部２１においてなされ、異常を検出したときには、表示警告手段２７から警告が発せられる。
【００４７】
次に、この加熱期間内であって加熱状態が安定している加熱終了直前にＣＰＵのガスＴＥＳＴ端子から試験信号が出力され（図２（３）ｔ3）ガスセンサのＣＨ4に対する試験が行われ（Ｓ３）、この結果がＲＡＭに上書きされる(Ｓ４)。
【００４８】
本例では次に、ＣＯ検出が行われる。まずヒータコントロール部２３の制御によりヒータコントロール信号Ａが立ち下がり、ガスセンサヒータ駆動電圧がlow(0.2V)となる（図２（１）、（２）ｔ4）。これにより、ガスセンサ１１の温度はＣＯ検出に適した温度（例えば数十℃）にまで低下する。本例ではこのヒータのlow状態は１5秒間持続される（図１、５、Ｓ６）。
【００４９】
このガスセンサ冷却時間の終了時近く、即ち温度状態が安定してきたとき、ガス検出Ａ／Ｄ信号の読み込みが行われ（図２（４）ｔ5）、Ｃ０の検出がなされる（Ｓ７）。この検出は、ガス信号処理部２１においてなされ、異常を検出したときには、表示警告手段２７から警告が発せられる。
【００５０】
次に、この冷却期間内であって温度状態が安定している次の加熱開始直前にＣＰＵのガスＴＥＳＴ端子から試験信号が出力され（図２（３）ｔ6）ガスセンサのＣＯに対する試験が行われ（Ｓ８）、この結果がＲＡＭに上書きされる(Ｓ９)。
【００５１】
このガスセンサによるガスの検出及び試験は図２に示すように２０秒ごとになされる。
【００５２】
本例では、上記のガス検出とは別にサーミスタによる環境温度の測定が定期的（ガスセンサの試験と同じ２０秒ごと）に行われる。即ち、図１Ｓ１０〜Ｓ１２及び図２（５）、（６）に示すように、所定の時刻ｔ10において、サーミスタ１４の出力をＣＰＵ２０のＡ／Ｄ端子から読み込み、火災判定を行う（Ｓ１０）。そして所定の時刻ｔ11において、サーミスタ１４の試験を行ない、これをＲＡＭ２４に上書きされる(Ｓ１２)。
【００５３】
以上のような一連の処理（Ｓ１〜Ｓ１２）を繰り返すことにより、ＲＡＭ２４には２０秒ごとにされた、ＣＨ4及びＣＯに対するガスセンサの試験結果、及びサーミスタの最新の試験結果が格納されていることになる。
【００５４】
そして、試験を行うときには、試験スイッチ２７を操作することにより(Ｓ１３)、ＲＡＭ２４から記録されていた内容が読み出され（Ｓ１４）、表示警報手段に表示出力される。図２（７），（８）に示す様に、煙の検知機能の試験を行う場合もサーミスタの試験を行う場合と同様にして、試験結果をＲＡＭに上書きする。
【００５５】
以上説明したように、本例に係るガス漏れ警報装置の試験方法によれば、ガスセンサの他サーミスタも２０秒ごとに試験され、その結果はＲＡＭに上書き格納されていく。そして、試験スイッチを操作することにより、記憶手段に格納された最新（最終）の試験結果が出力されるから、試験スイッチ操作後直ちに試験結果が出力される。また、ガス検知素子の複数のガスに対する試験結果、及び熱検知素子の試験結果が一度に出力され、ガス漏れ警報装置のガス検知素子及び熱検知素子の状態を全体として一度に把握できる。
【００５６】
なお上記例では、ＲＡＭへの試験結果の上書きは、前回試験の結果を全て書き換えるものであってもよいし、ＦＩＦＯ方式で、一定期間にわたる試験結果保持しておくものとして、試験結果を古いものから削除して、最新の試験結果を追加するようにしてもよい。
【００５７】
また、上記例では、ガスセンサに加えてサーミスタを備えたガス漏れ検出装置を例として説明したが、サーミスタを有しない、単なるガス漏れ検出装置にも適用できる。
【００５８】
また、上記例ではガス検知素子として、ＣＨ4及びＣＯを１台の素子で検出した場合を説明したが、それぞれ別の素子で検出するものであってもよい。
【００５９】
尚、本発明の火災ガス漏れ警報器の試験方法は、上述の例に限定されるものではなく、本発明の要旨を逸脱しない範囲内において種々変更を加え得ることは勿論である。
【００６０】
【発明の効果】
以上、説明したように本発明の警報器の試験方法によれば、以下のような効果を奏する。
【００６１】
請求項１に記載の警報器の試験方法、及び請求項４に記載の警報器によれば、ガス検知素子は、常時試験され、その結果は記憶手段に上書き格納されていく。このため常に最新のガス検知素子の試験結果が記憶手段に格納されている。そして、試験スイッチを操作することにより、記憶手段に格納された最新（最終）の試験結果が出力されるから、試験スイッチ操作後直ちに試験結果が出力される。また、ガス検知素子の複数のガスに対する試験結果が一度に出力され、ガス検知素子の状態を全体として一度に把握できるという効果を奏する。
【００６２】
請求項２に記載の警報器の試験方法、及び請求項５に記載の警報器によれば、ガス検知素子のほか火災検知手段も、常時試験され、その結果は記憶手段に上書き格納されていく。そして、試験スイッチを操作することにより、記憶手段に格納された最新（最終）の試験結果が出力されるから、試験スイッチ操作後直ちに試験結果が出力される。また、ガス検知素子の複数のガスに対する試験結果、及び火災検知手段の試験結果が一度に出力され、ガス検知素子及び火災検知手段の状態を全体として一度に把握できるという効果を奏する。
【００６３】
請求項３に記載の警報器の試験方法、及び請求項６に記載の警報器によれば、試験の結果を的確に表示でき、表示警報手段の出力を適宜選択して、ランプの点灯点滅、ディスプレイ画面による文字アイコンの表示、音声によるメッセージ等を使用することにより、その装置の必要に応じた適切な表示を行うことができる。
【図面の簡単な説明】
【図１】本発明の実施の形態に係るガス漏れ警報器の試験方法の処理を示すフローチャートである。
【図２】図1に示したガス漏れ警報器の試験方法における各検出器の検出タイミングと試験タイミングを示すタイミングチャートである。
【図３】図1に示した試験方法が適用されるガス漏れ警報器の構成を示すブロック図である。
【図４】本発明の他の実施の形態に係る試験方法が適用されるガス漏れ警報器の構成を示すブロック図である。
【符号の説明】
１０  センサ部
１１  ガスセンサ
１１  半導体ガスセンサ
１２  センサ検知部
１３  ヒータ部
１４  熱センサ（サーミスタ）
１５  煙検出用発光素子（ＬＥＤ）
１６  テスト用ＬＥＤ
１７  受光素子（フォトダイオード）
２０  制御部（ＣＰＵ）
２１  ガス信号処理部
２２  火災信号処理部
２３  ヒータコントロール部
２５  タイマ
２６  演算部
２７  試験スイッチ
２８  表示警報手段
３０  警報器
【図１】
0003732078.tif 000002
【図２】
0003732078.tif 000003
【図３】
0003732078.tif 000004
【図４】
0003732078.tif 000005